(57)【特許請求の範囲】
【請求項１】
少なくとも１つの充填室が備えられ、前記充填室に充填された試料に含まれている微細粒子の個体数を計数するための試料保管器具の製造方法であって、
（ａ）少なくとも前記充填室の側壁を形成するための側壁パターンと当該側壁パターンを囲むように所定の間隔で互いに離隔して設けられた複数のラインパターンとを含む陰刻パターン部が上面に備えられたパターン形成用モールドを用意するステップと、
（ｂ）前記陰刻パターン部に収容させるための液状ＵＶ硬化性樹脂を、前記パターン形成用モールドの上面に一定量吐出するステップと、
（ｃ）前記パターン形成用モールドの上面に、第１透光性基板を載置して互いに圧着するステップと、
（ｄ）前記液状ＵＶ硬化性樹脂が前記陰刻パターン部に収容された状態で、紫外線を照射して前記液状ＵＶ硬化性樹脂を硬化させるステップと、
（ｅ）前記パターン形成用モールドから、前記液状ＵＶ硬化性樹脂が硬化して形成された充填室の側壁および複数のライン壁が備えられた第１透光性基板を分離させるステップと、
（ｆ）前記複数のライン壁の間にＵＶ硬化性接着剤を塗布するステップと、
（ｇ）前記第１透光性基板における側壁が形成された側に第２透光性基板を配置した状態で、紫外線を照射して前記ＵＶ硬化性接着剤を硬化させることにより、前記第１透光性基板と前記第２透光性基板とを接着して前記充填室を形成するステップと、
を含んで構成され、
前記第１透光性基板及び前記第２透光性基板として、ポリカーボネート（ｐｏｌｙｃａｒｂｏｎａｔｅ）、ポリメチルメタクリレート（ｐｏｌｙ  ｍｅｔｈｙｌ  ｍｅｔｈａｃｒｙｌａｔｅ）、ポリエチレン（ｐｏｌｙｅｔｈｙｌｅｎｅ）、ポリエチレンテレフタレート（ｐｏｌｙｅｔｈｙｌｅｎｅ  ｔｅｒｅｐｈｔｈａｌａｔｅ）、ポリスチロール（ｐｏｌｙｓｔｙｒｏｌ）、ガラスのうちのいずれか１つの材質で構成された基板を用いることを特徴とする、試料保管器具の製造方法。
【請求項２】
少なくとも１つの充填室が備えられ、前記充填室に充填された試料に含まれている微細粒子の個体数を計数するための試料保管器具の製造方法であって、
（ａ）少なくとも前記充填室の側壁を形成するための側壁パターンと当該側壁パターンを囲むように所定の間隔で互いに離隔して設けられた複数のラインパターンとを含む陰刻パターン部（当該陰刻パターン部は、単一の充填室の側壁を形成する個別パターン部が複数配列された形態からなって、複数の充填室の側壁を形成できるように形成される）が上面に備えられたパターン形成用モールドを用意するステップと、
（ｂ）前記陰刻パターン部に収容させるための液状ＵＶ硬化性樹脂を、前記パターン形成用モールドの上面に一定量吐出するステップと、
（ｃ）前記パターン形成用モールドの上面に、第１透光性母材基板を載置して互いに圧着するステップと、
（ｄ）前記液状ＵＶ硬化性樹脂が前記陰刻パターン部に収容された状態で、紫外線を照射して前記液状ＵＶ硬化性樹脂を硬化させるステップと、
（ｅ）前記パターン形成用モールドから、前記液状ＵＶ硬化性樹脂が硬化して形成された複数の充填室の側壁および当該複数の充填室の側壁それぞれを囲む複数のライン壁が備えられた第１透光性母材基板を分離させるステップと、
（ｆ）前記複数の充填室の側壁および複数のライン壁が、単一の充填室の側壁および当該単一の充填室を囲む複数のライン壁に個別分割されるように、前記第１透光性母材基板を切断して第１透光性基板を用意するステップと、
（ｇ）前記第１透光性基板の前記複数のライン壁の間にＵＶ硬化性接着剤を塗布するステップと、
（ｈ）前記第１透光性基板における側壁が形成された側に第２透光性基板を配置した状態で、紫外線を照射して前記ＵＶ硬化性接着剤を硬化させることにより、前記第１透光性基板と前記第２透光性基板とを接着して前記充填室を形成するステップと、
を含んで構成され、
前記第１透光性基板及び前記第２透光性基板として、ポリカーボネート（ｐｏｌｙｃａｒｂｏｎａｔｅ）、ポリメチルメタクリレート（ｐｏｌｙ  ｍｅｔｈｙｌ  ｍｅｔｈａｃｒｙｌａｔｅ）、ポリエチレン（ｐｏｌｙｅｔｈｙｌｅｎｅ）、ポリエチレンテレフタレート（ｐｏｌｙｅｔｈｙｌｅｎｅ  ｔｅｒｅｐｈｔｈａｌａｔｅ）、ポリスチロール（ｐｏｌｙｓｔｙｒｏｌ）、ガラスのうちのいずれか１つの材質で構成された基板を用いることを特徴とする、試料保管器具の製造方法。
【請求項３】
少なくとも１つの充填室が備えられ、前記充填室に充填された試料に含まれている微細粒子の個体数を計数するための試料保管器具の製造方法であって、
（ａ）少なくとも前記充填室の側壁を形成するための側壁パターンと当該側壁パターンを囲むように所定の間隔で互いに離隔して設けられた複数のラインパターンとを含む陰刻パターン部（当該陰刻パターン部は、単一の充填室の側壁を形成する個別パターン部が複数配列された形態からなって、複数の充填室の側壁を形成できるように形成される）が上面に備えられたパターン形成用モールドを用意するステップと、
（ｂ）前記陰刻パターン部に収容させるための液状ＵＶ硬化性樹脂を、前記パターン形成用モールドの上面に一定量吐出するステップと、
（ｃ）前記パターン形成用モールドの上面に、第１透光性母材基板を載置して互いに圧着するステップと、
（ｄ）前記液状ＵＶ硬化性樹脂が前記陰刻パターン部に収容された状態で、紫外線を照射して前記液状ＵＶ硬化性樹脂を硬化させるステップと、
（ｅ）前記パターン形成用モールドから、前記液状ＵＶ硬化性樹脂が硬化して形成された複数の充填室の側壁および当該複数の充填室の側壁それぞれを囲む複数のライン壁が備えられた第１透光性母材基板を分離させるステップと、
（ｆ）前記第１透光性母材基板の前記複数のライン壁の間にＵＶ硬化性接着剤を塗布するステップと、
（ｇ）前記第１透光性母材基板の複数の充填室の側壁が形成された側に第２透光性母材基板を配置した状態で、紫外線を照射して前記ＵＶ硬化性接着剤を硬化させることにより、前記第１透光性母材基板と前記第２透光性母材基板とを接着して複数の充填室を形成するステップと、
（ｈ）前記複数の充填室がそれぞれ個別分割されるように、互いに接着された第１透光性母材基板および前記第２透光性母材基板を切断加工するステップと、
を含んで構成され、
前記第１透光性母材基板及び前記第２透光性母材基板として、ポリカーボネート（ｐｏｌｙｃａｒｂｏｎａｔｅ）、ポリメチルメタクリレート（ｐｏｌｙ  ｍｅｔｈｙｌ  ｍｅｔｈａｃｒｙｌａｔｅ）、ポリエチレン（ｐｏｌｙｅｔｈｙｌｅｎｅ）、ポリエチレンテレフタレート（ｐｏｌｙｅｔｈｙｌｅｎｅ  ｔｅｒｅｐｈｔｈａｌａｔｅ）、ポリスチロール（ｐｏｌｙｓｔｙｒｏｌ）、ガラスのうちのいずれか１つの材質で構成された基板を用いることを特徴とする、試料保管器具の製造方法。
【請求項４】
前記（ｃ）ステップにおいて、
前記パターン形成用モールドと前記第１透光性母材基板との相互圧着は、一対の加圧ローラの間に通過させることにより行われ、
前記パターン形成用モールドと前記第１透光性母材基板が前記一対の加圧ローラを通過した後、前記（ｄ）ステップが行われることを特徴とする、請求項２または３に記載の試料保管器具の製造方法。
【請求項５】
前記陰刻パターン部は、
前記充填室の側壁の内側領域に、グリッド目盛を形成するためのグリッドパターンを含んで構成されたことを特徴とする、請求項１〜３のいずれか１項に記載の試料保管器具の製造方法。
【請求項６】
前記陰刻パターン部は、
前記充填室の側壁を形成するための側壁パターンと当該側壁パターンを囲むように所定の間隔で互いに離隔して設けられた複数のラインパターンとを有する電鋳金型が、前記パターン形成用モールドの上面に固定されて構成されたことを特徴とする、請求項１〜３のいずれか１項に記載の試料保管器具の製造方法。
【請求項７】
前記電鋳金型は、前記充填室の側壁の内側領域に、グリッド目盛を形成するためのグリッドパターンを含んで形成されたことを特徴とする、請求項６に記載の試料保管器具の製造方法。
【請求項８】
前記陰刻パターン部は、
前記パターン形成用モールドの上面に、前記充填室の側壁を形成するための側壁パターンと当該側壁パターンを囲むように所定の間隔で互いに離隔して設けられた複数のラインパターンとがエッチング処理されて構成されることを特徴とする、請求項１〜３のいずれか１項に記載の試料保管器具の製造方法。
【請求項９】
前記エッチング処理されたパターン形成用モールドは、前記充填室の側壁の内側領域に、グリッド目盛を形成するためのグリッド目盛形成用電鋳金型が備えられたことを特徴とする、請求項８に記載の試料保管器具の製造方法。
【請求項１０】
前記側壁の形成高さは、１０μｍ〜１００μｍであることを特徴とする、請求項１〜３のいずれか１項に記載の試料保管器具の製造方法。
【請求項１１】
前記パターン形成用モールドを、板状のモールド、または前記陰刻パターン部が外周に複数形成されるロールタイプのモールドのうちのいずれか１つを用いることを特徴とする、請求項１〜３のいずれか１項に記載の試料保管器具の製造方法。
【請求項１２】
少なくとも１つの充填室が備えられた試料保管器具の製造方法であって、
第１基板を用意し、
前記第１基板の一面に前記充填室の側壁および当該側壁を囲む複数のライン壁を形成し、
前記複数のライン壁の間に設けられた接着剤を用いて、前記第１基板に第２基板を接着して、前記側壁の内側部に前記充填室を形成することを含み、
前記第１基板及び前記第２基板として、ポリカーボネート（ｐｏｌｙｃａｒｂｏｎａｔｅ）、ポリメチルメタクリレート（ｐｏｌｙ  ｍｅｔｈｙｌ  ｍｅｔｈａｃｒｙｌａｔｅ）、ポリエチレン（ｐｏｌｙｅｔｈｙｌｅｎｅ）、ポリエチレンテレフタレート（ｐｏｌｙｅｔｈｙｌｅｎｅ  ｔｅｒｅｐｈｔｈａｌａｔｅ）、ポリスチロール（ｐｏｌｙｓｔｙｒｏｌ）、ガラスのうちのいずれか１つの材質で構成された基板を用いることを特徴とする、試料保管器具の製造方法。
【請求項１３】
前記側壁および前記複数のライン壁を、液状ＵＶ硬化性樹脂を硬化させて形成することを特徴とする、請求項１２に記載の試料保管器具の製造方法。
【請求項１４】
前記第１基板の一面に前記側壁および前記複数のライン壁を複数形成し、
前記複数の側壁および当該側壁を囲む前記複数のライン壁それぞれが分離されるように、前記第１基板を切断し、
切断された前記第１基板のそれぞれに前記第２基板を接着することを特徴とする、請求項１２に記載の試料保管器具の製造方法。
【請求項１５】
前記第１基板の一面に前記側壁および前記複数のライン壁を複数形成し、
前記第１基板に前記第２基板を接着し、
複数形成された前記側壁のそれぞれが単一の充填室を形成するように、前記第１基板および前記第２基板を切断することを特徴とする、請求項１２に記載の試料保管器具の製造方法。
【請求項１６】
少なくとも前記充填室の側壁を形成するための側壁パターンと当該側壁パターンを囲むように所定の間隔で互いに離隔して設けられた複数のラインパターンとを含む陰刻パターン部が形成されたパターン形成用モールドを用意し、
前記陰刻パターン部に液状ＵＶ硬化性樹脂を満たし、硬化して前記側壁および前記ライン壁を形成することを特徴とする、請求項１２に記載の試料保管器具の製造方法。
【請求項１７】
前記パターン形成用モールドを、板状のモールド、または前記陰刻パターン部が外周に複数形成されるロールタイプのモールドのうちのいずれか１つを用いることを特徴とする、請求項１６に記載の試料保管器具の製造方法。
【発明の詳細な説明】
【技術分野】
【０００１】
本発明は、試料保管器具の製造方法および試料保管器具に関するものであって、より詳細には、陰刻パターン部が上面に備えられたパターン形成用モールドを用いて、１つの基板上に充填室の側壁を形成し、充填室の側壁が形成された前記基板に他の１つの基板を接着させて試料保管器具を製造することにより、試料保管器具を簡便に製造することができ、大量生産が可能な試料保管器具の製造方法および試料保管器具に関するものである。
【背景技術】
【０００２】
一般的に、疾病の診断時には、血液に含まれている赤血球、白血球または血小板などのような代表的な血液細胞の数字および機能を検査する。
【０００３】
例えば、赤血球沈降速度から結核、肥満または妊娠などを診断することができ、血球容積からは脱水症または貧血などを診断することができる。
【０００４】
また、血小板の個数からは慢性白血病を診断することができ、赤血球の個数からは腎臓疾患、低酸素証、喫煙、肺疾患、溶血性貧血または再生不良性貧血などを診断することができ、白血球の個数からは急性虫垂炎、白血病または再生不良性貧血などを診断することができる。
【０００５】
このように、血球などの細胞の個数の測定は、疾病の診断と密接な関係がある。
【０００６】
代表的な血液細胞である赤血球の大きさは、マイクロ、ノーマル、マクロおよびメガなどのように４つに分類され、このような赤血球の大きさと個数を把握することにより、前述のような各種疾病に対する診断資料として使用することができる。
【０００７】
特に、赤血球の個数は、貧血の有無およびその原因を知るための必須の検査である。
【０００８】
元気な一般人であれば、男性の場合、約４４０万〜５６０万個／ｄｌの赤血球が血液中に含まれており、女性の場合、約３５０万〜５００万個／ｄｌの赤血球が血液中に含まれている。
【０００９】
前記赤血球の個数の測定により、基準値より赤血球の個数が増加した場合、真性多血症、脱水症、ショック  副腎不全症または心肺疾患などの疾病を診断することができる。
【００１０】
また、赤血球の個数が減少した場合には、各種貧血の有無を診断することができる。
【００１１】
図１は、従来の赤血球のような血液細胞の個数を測定するための試料保管器具の斜視図である。
【００１２】
図１に示されているように、従来の赤血球の個数を測定するための試料保管器具１０は通常、ガラスや石英などからなるボディ１５と、前記ボディ１５の上部に備えられた一対の隔壁２０、２５と、前記一対の隔壁２０、２５の間に形成された測定部３０と、前記測定部３０の上部を覆うカバー３５とを含んで構成される。
【００１３】
前記ボディ１５上に備えられる一対の隔壁２０、２５と、前記一対の隔壁２０、２５の間に位置する測定部３０は、例えば、ガラスまたは石英からなるボディ１５を微細機械加工（ｍｉｃｒｏｍａｃｈｉｎｉｎｇ）して形成する。
【００１４】
前記一対の隔壁２０、２５は、測定部３０の周辺にボディ１５の上面から上方に突出して形成され、血液のような試料を測定部３０に注入する場合、試料が測定部３０から流出しないようにする。
【００１５】
また、一対の隔壁２０、２５上には、ガラスからなる透明なカバー３５が備えられ、試料は、一対の隔壁２０、２５とカバー３５との間の測定部３０に位置し、血液中の血球細胞のような、試料内に存在する細胞の個数を測定する。
【００１６】
しかし、上述のような従来の試料保管器具は、ボディ１５とカバー３５とが分離されているため、前記測定部３０に試料を落とした後、前記ボディ１５上にカバーを覆わなければならない問題があった。
【００１７】
また、前記カバー３５と隔壁２０、２５との間の密着性を付与するために、別の接着剤などを用いてカバー３５を隔壁２０、２５上に付着させる過程が要求される問題があった。
【００１８】
上述の問題を解決するために、図２および図３に示されているように、上部基板６１と下部基板６３とを互いに接着して一体に構成するが、上部基板６１に備えられた投入口６１ａに試料を投入して流路６１ｂに試料を充填し、試料内に存在する細胞の個数を測定するようにした試料保管器具が開示された。
【００１９】
しかし、上述のような従来の一体型試料保管器具は、射出成形によって製造された上部基板６１および下部基板６３を、整列用治具を用いて互いに整列された状態で積層させ、この状態で接着剤を用いて接着しなければならないため、製造過程が複雑である問題があった。
【００２０】
また、試料充填空間を形成するための高さ空間（または凹凸部）の形成のために、上部基板６１と下部基板６３が射出成形で製造されることにより、各基板６１、６３を製造するための金型費用が多くかかる問題があった。
【発明の概要】
【発明が解決しようとする課題】
【００２１】
上記の従来技術にかかる問題を解決するための本発明の目的は、陰刻パターン部が上面に備えられたパターン形成用モールドを用いて、１つの基板上に充填室の側壁を形成し、充填室の側壁が形成された前記基板に他の１つの基板を接着させて試料保管器具を製造することにより、試料保管器具を簡便に製造することができ、大量生産が可能な試料保管器具の製造方法および試料保管器具を提供することである。
【課題を解決するための手段】
【００２２】
上記の目的を達成するための、本発明の第１側面によれば、少なくとも１つの充填室が備えられ、前記充填室に充填された試料に含まれている微細粒子の個体数を計数するための試料保管器具の製造方法であって、（ａ）少なくとも前記充填室の側壁を形成するための陰刻パターン部が上面に備えられたパターン形成用モールドを用意するステップと、（ｂ）前記陰刻パターン部に収容させるための液状ＵＶ硬化性樹脂を、前記パターン形成用モールドの上面に一定量吐出するステップと、（ｃ）前記パターン形成用モールドの上面に、第１透光性基板を載置して互いに圧着するステップと、（ｄ）前記液状ＵＶ硬化性樹脂が前記陰刻パターン部に収容された状態で、紫外線を照射して前記液状ＵＶ硬化性樹脂を硬化させるステップと、（ｅ）前記パターン形成用モールドから、前記液状ＵＶ硬化性樹脂が硬化して形成された充填室の側壁が備えられた第１透光性基板を分離させるステップと、（ｆ）前記第１透光性基板の側壁が形成された側に、第２透光性基板を接着して前記充填室を形成するステップと、を含んで構成されたことを特徴とする、試料保管器具の製造方法が開示される。
【００２３】
上記の目的を達成するための、本発明の第２側面によれば、少なくとも１つの充填室が備えられ、前記充填室に充填された試料に含まれている微細粒子の個体数を計数するための試料保管器具の製造方法であって、（ａ）少なくとも前記充填室の側壁を形成するための陰刻パターン部（当該陰刻パターン部は、単一の充填室の側壁を形成する個別パターン部が複数配列された形態からなって、複数の充填室の側壁を形成できるように形成される）が上面に備えられたパターン形成用モールドを用意するステップと、（ｂ）前記陰刻パターン部に収容させるための液状ＵＶ硬化性樹脂を、前記パターン形成用モールドの上面に一定量吐出するステップと、（ｃ）前記パターン形成用モールドの上面に、第１透光性母材基板を載置して互いに圧着するステップと、（ｄ）前記液状ＵＶ硬化性樹脂が前記陰刻パターン部に収容された状態で、紫外線を照射して前記液状ＵＶ硬化性樹脂を硬化させるステップと、（ｅ）前記パターン形成用モールドから、前記液状ＵＶ硬化性樹脂が硬化して形成された複数の充填室の側壁が備えられた第１透光性母材基板を分離させるステップと、（ｆ）前記複数の充填室の側壁が単一の充填室の側壁に個別分割されるように、前記第１透光性母材基板を切断して第１透光性基板を用意するステップと、（ｇ）前記第１透光性基板の側壁が形成された側に、第２透光性基板を接着して前記充填室を形成するステップと、を含んで構成されたことを特徴とする、試料保管器具の製造方法が開示される。
【００２４】
上記の目的を達成するための、本発明の第３側面によれば、少なくとも１つの充填室が備えられ、前記充填室に充填された試料に含まれている微細粒子の個体数を計数するための試料保管器具の製造方法であって、（ａ）少なくとも前記充填室の側壁を形成するための陰刻パターン部（当該陰刻パターン部は、単一の充填室の側壁を形成する個別パターン部が複数配列された形態からなって、複数の充填室の側壁を形成できるように形成される）が上面に備えられたパターン形成用モールドを用意するステップと、（ｂ）前記陰刻パターン部に収容させるための液状ＵＶ硬化性樹脂を、前記パターン形成用モールドの上面に一定量吐出するステップと、（ｃ）前記パターン形成用モールドの上面に、第１透光性母材基板を載置して互いに圧着するステップと、（ｄ）前記液状ＵＶ硬化性樹脂が前記陰刻パターン部に収容された状態で、紫外線を照射して前記液状ＵＶ硬化性樹脂を硬化させるステップと、（ｅ）前記パターン形成用モールドから、前記液状ＵＶ硬化性樹脂が硬化して形成された複数の充填室の側壁が備えられた第１透光性母材基板を分離させるステップと、（ｆ）前記第１透光性母材基板の複数の充填室の側壁が形成された側に、第２透光性母材基板を接着して複数の充填室を形成するステップと、（ｇ）前記複数の充填室がそれぞれ個別分割されるように、互いに接着された第１および第２透光性母材基板を切断加工するステップと、を含んで構成されたことを特徴とする、試料保管器具の製造方法が開示される。
【００２５】
好ましくは、前記（ｃ）ステップにおいて、前記パターン形成用モールドと前記第１透光性母材基板との相互圧着は、一対の加圧ローラの間に通過させることにより行われ、前記パターン形成用モールドと前記第１透光性母材基板が前記一対の加圧ローラを通過した後、前記（ｄ）ステップが行われてよい。
【００２６】
好ましくは、前記一対の基板の接着は、前記充填室を除いた一対の基板の間にＵＶ硬化性接着剤を塗布して互いに積層した状態で、紫外線を照射することにより接着されるようにすることができる。
【００２７】
好ましくは、前記陰刻パターン部は、前記充填室の側壁を形成するための側壁パターンと、前記側壁パターンの外側領域に所定の間隔で互いに離隔した複数のラインパターンとを含んで構成できる。
【００２８】
好ましくは、前記陰刻パターン部は、前記充填室の側壁の内側領域に、グリッド目盛を形成するためのグリッドパターンを含んで構成できる。
【００２９】
好ましくは、前記陰刻パターン部は、前記充填室の側壁を形成するためのパターンを有する電鋳金型が、前記パターン形成用モールドの上面に固定されて構成できる。
【００３０】
好ましくは、前記電鋳金型は、前記充填室の側壁の内側領域に、グリッド目盛を形成するためのグリッドパターンを含んで形成できる。
【００３１】
好ましくは、前記陰刻パターン部は、前記パターン形成用モールドの上面に、前記充填室の側壁を形成するためのパターンがエッチング処理されて構成できる。
【００３２】
好ましくは、前記エッチング処理されたパターン形成用モールドは、前記充填室の側壁の内側領域に、グリッド目盛を形成するためのグリッド目盛形成用電鋳金型が備えられてよい。
【００３３】
好ましくは、前記側壁の形成高さは、１０μｍ〜１００μｍであってよい。
【００３４】
上記の目的を達成するための、本発明の第４側面によれば、少なくとも１つの充填室が備えられ、前記充填室に充填された試料に含まれている微細粒子の個体数を計数するための試料保管器具であって、前記充填室の一側内面を形成する第１透光性基板と、前記充填室の他側内面を形成する第２透光性基板と、前記第１透光性基板と第２透光性基板との間に所定の高さに積層されて備えられる、液状ＵＶ硬化性樹脂が硬化して形成された側壁と、を含んで構成されたことを特徴とする。
【００３５】
また、本発明は、前記パターン形成用モールドを、板状のモールド、または前記陰刻パターン部が外周に複数形成されるロールタイプのモールドのうちのいずれか１つを用いることができる。
【００３６】
他の側面において、本発明は、第１基板を用意し、前記第１基板の一面に枠状の凹凸状のパターンを形成し、第２基板を前記パターンに接着して、前記パターンの内側部に充填室を形成する試料保管器具の製造方法を提供する。
【００３７】
ここで、前記パターンを、液状ＵＶ硬化性樹脂を硬化させて形成することが好ましい。
【００３８】
また、前記パターンを複数形成し、前記複数のパターンそれぞれが分離されるように、前記第１透光性基板を切断し、前記第２透光性基板を前記パターンそれぞれに接着することが好ましい。
【００３９】
前記パターンを複数形成し、前記第２透光性基板を前記パターンに接着し、前記複数のパターンそれぞれで充填室を有するように、前記第２透光性基板を切断することが好ましい。
【００４０】
また、陰刻パターン部が形成されるパターン形成用モールドを用意し、前記陰刻パターン部に液状ＵＶ硬化性樹脂を満たし、硬化して前記パターンを形成することが好ましい。
【００４１】
さらに、前記パターン形成用モールドを、板状のモールド、または前記陰刻パターン部が外周に複数形成されるロールタイプのモールドのうちのいずれか１つを用いることが好ましい。
【００４２】
他の側面において、本発明は、上述の試料保管器具の製造方法を用いて製造される試料保管器具を提供する。
【００４３】
上述のような本発明は、陰刻パターン部が上面に備えられたパターン形成用モールドを用いて、１つの基板上に充填室の側壁を形成し、充填室の側壁が形成された前記基板に他の１つの基板を接着させて試料保管器具を製造することにより、試料保管器具を簡便に製造することができる利点がある。
【００４４】
また、上述のような工程によって試料保管器具を製造する時、大量に生産することができる利点がある。
【００４５】
さらに、上述のような工程によって試料保管器具を製造する時、射出成形が必ずしも要求されない平板状基板で試料保管器具を製造することができる利点がある。
【００４６】
また、パターン形成用モールドと基板を一対の加圧ローラの間に通過させた後、液状ＵＶ硬化性樹脂に紫外線を照射して側壁を形成することにより、生産時間が短縮され、大量生産に適する利点がある。
【００４７】
さらに、側壁パターンの外側領域に複数のラインパターンを構成することにより、一対の基板を互いに接着するためのＵＶ硬化性接着剤が前記ラインパターンの間の空間に充填されて分布するため、ＵＶ硬化性接着剤が一対の基板の間に流出するのを防止することができる。
【００４８】
また、電鋳金型をパターン形成用モールドの上面に固定したり、パターン形成用モールドの上面をエッチング処理して陰刻パターン部を構成したりすることにより、前記側壁の形成厚さ、側壁の平面形状（印刷パターン）、側壁の印刷パターン幅（印刷ラインの幅）を微細に調整することができる利点がある。
【００４９】
さらに、ＵＶ硬化性接着剤と紫外線を用いて一対の基板を接着するため、速い時間内に接着が可能である利点がある。
【発明の効果】
【００５０】
上述のような本発明は、陰刻パターン部が上面に備えられたパターン形成用モールドを用いて、１つの基板上に充填室の側壁を形成し、充填室の側壁が形成された前記基板に他の１つの基板を接着させて試料保管器具を製造することにより、試料保管器具を簡便に製造することができる利点がある。
【００５１】
また、上述のような工程によって試料保管器具を製造する時、大量に生産することができる利点がある。
【００５２】
さらに、上述のような工程によって試料保管器具を製造する時、射出成形が必ずしも要求されない平板状基板で試料保管器具を製造することができる利点がある。
【００５３】
また、パターン形成用モールドと基板を一対の加圧ローラの間に通過させた後、液状ＵＶ硬化性樹脂に紫外線を照射して側壁を形成することにより、生産時間が短縮され、大量生産に適する利点がある。
【００５４】
さらに、側壁パターンの外側領域に複数のラインパターンを構成することにより、一対の基板を互いに接着するためのＵＶ硬化性接着剤が前記ラインパターンの間の空間に充填されて分布するため、ＵＶ硬化性接着剤が一対の基板の間に流出するのを防止することができる。
【００５５】
また、電鋳金型をパターン形成用モールドの上面に固定したり、パターン形成用モールドの上面をエッチング処理して陰刻パターン部を構成したりすることにより、前記側壁の形成厚さ、側壁の平面形状（印刷パターン）、側壁の印刷パターン幅（印刷ラインの幅）を微細に調整することができる利点がある。
【００５６】
さらに、ＵＶ硬化性接着剤と紫外線を用いて一対の基板を接着するため、速い時間内に接着が可能である利点がある。
【図面の簡単な説明】
【００５７】
【図１】従来の試料保管器具の一例を示す斜視図である。
【図２】従来の試料保管器具の他の例を示す斜視図である。
【図３】従来の試料保管器具の他の例を示す断面図である。
【図４】本発明の第１実施例による試料保管器具の製造方法の流れを示すフローチャートである。
【図５】本発明の第２実施例による試料保管器具の製造方法の流れを示すフローチャートである。
【図６】本発明の第３実施例による試料保管器具の製造方法の流れを示すフローチャートである。
【図７Ａ】本発明の第１実施例によるパターン形成用モールドを示す斜視図である。
【図７Ｂ】本発明の第１実施例によるパターン形成用モールドを示す斜視図である。
【図８】本発明の第１実施例によるパターン形成用モールドの一部分を拡大して示す斜視図である。
【図９】本発明の第１実施例によるパターン形成用モールドの一部分を拡大して示す斜視図である。
【図１０Ａ】本発明の第１実施例によるパターン形成用モールドに液状ＵＶ硬化性樹脂が吐出された状態を示す斜視図である。
【図１０Ｂ】本発明の第１実施例によるパターン形成用モールドに液状ＵＶ硬化性樹脂が吐出された状態を示す斜視図である。
【図１１】本発明の第１実施例によるパターン形成用モールドの上面に第１透光性基板を載置させる過程を示す斜視図である。
【図１２】本発明の第１実施例によるパターン形成用モールドの上面に第１透光性基板を載置させる過程を示す斜視図である。
【図１３】本発明の第１実施例によるパターン形成用モールドと第１透光性基板とを互いに圧着し、紫外線を照射する過程を示す斜視図である。
【図１４】本発明の第１実施例による第１透光性基板と第２透光性基板とを互いに接着する過程を示す斜視図である。
【図１５】本発明の第１実施例による第１透光性基板と第２透光性基板とを互いに接着する過程を示す斜視図である。
【図１６】本発明の第１実施例による陰刻パターン部にグリッドパターンが備えられた状態を示す斜視図である。
【図１７】本発明の第１実施例によるグリッドパターンが備えられた陰刻パターン部によってグリッドパターンが形成された試料保管器具を示す斜視図である。
【図１８Ａ】本発明の第２実施例によるパターン形成用モールドを示す斜視図である。
【図１８Ｂ】本発明の第２実施例によるパターン形成用モールドを示す斜視図である。
【図１９】本発明の第２実施例による他のパターン形成用モールドを示す斜視図である。
【図２０Ａ】本発明の第２実施例によるパターン形成用モールドに液状ＵＶ硬化性樹脂が吐出された状態を示す斜視図である。
【図２０Ｂ】本発明の第２実施例によるパターン形成用モールドに液状ＵＶ硬化性樹脂が吐出された状態を示す斜視図である。
【図２１】本発明の第２実施例によるパターン形成用モールドの上面に第１透光性母材基板を載置させる過程を示す斜視図である。
【図２２】本発明の第２実施例によるパターン形成用モールドの上面に第１透光性母材基板を載置させる過程を示す斜視図である。
【図２３】本発明の第２実施例によるパターン形成用モールドと第１透光性母材基板とを互いに圧着し、紫外線を照射する過程を示す斜視図である。
【図２４】本発明の第２実施例による複数の充填室の側壁が形成された第１透光性母材基板を示す斜視図である。
【図２５】本発明の第３実施例による複数の充填室の側壁が形成された第１透光性母材基板を示す斜視図である。
【図２６】本発明の第３実施例による複数の充填室の側壁が形成された第１透光性母材基板と第２透光性母材基板とを互いに接着する過程を示す斜視図である。
【図２７】本発明の第３実施例による複数の充填室の側壁が形成された第１透光性母材基板と第２透光性母材基板とを互いに接着する過程を示す斜視図である。
【図２８】本発明にかかるロールタイプのパターン形成用モールドの一例を示す斜視図である。
【発明を実施するための形態】
【００５８】
本発明は、その技術的思想または主な特徴を逸脱しない範囲で他の様々な形態で実施可能である。したがって、本発明の実施例は、すべての点で単なる例示に過ぎず、限定的に解釈されてはならない。
【００５９】
第１、第２などの用語は多様な構成要素を説明するのに使用できるが、前記構成要素は前記用語によって限定されてはならない。前記用語は、１つの構成要素を他の構成要素から区別する目的でのみ使用される。例えば、本発明の権利範囲を逸脱しない範囲で、第１構成要素は第２構成要素と名付けられてよく、同様に、第２構成要素も第１構成要素と名付けられてよい。および／またはという用語は、複数の関連する記載項目の組み合わせ、または複数の関連する記載項目のうちのいずれかの項目を含む。
【００６０】
ある構成要素が他の構成要素に「連結されて」いるか、「接続されて」いると言及された時には、その他の構成要素に直接的に連結されているか、または接続されていてもよいが、中間に他の構成要素が存在することもできると理解されなければならない。反面、ある構成要素が他の構成要素に「直接連結されて」いるか、「直接接続されて」いると言及された時には、中間に他の構成要素が存在しないと理解されなければならない。
【００６１】
本出願で使用した用語は単に特定の実施例を説明するために使用されたもので、本発明を限定しようとする意図ではない。単数の表現は、文脈上明らかに異なって意味しない限り、複数の表現を含む。本出願において、「含む」または「備える」、「有する」などの用語は、明細書上に記載された特徴、数字、段階、動作、構成要素、部品またはこれらを組み合わせたものが存在することを指定しようとするものであり、１つまたはそれ以上の他の特徴や、数字、段階、動作、構成要素、部品またはこれらを組み合わせたものの存在または付加の可能性を予め排除しないと理解されなければならない。
【００６２】
異なって定義されない限り、技術的または科学的な用語を含むここで使用されるすべての用語は、本発明の属する技術分野における通常の知識を有する者によって一般的に理解されるのと同じ意味を持っている。一般的に使用される辞書に定義されているような用語は、関連技術の文脈上有する意味と一致する意味を有すると解釈されなければならず、本出願で明らかに定義しない限り、理想的または過度に形式的な意味で解釈されない。
【００６３】
以下、添付した図面を参照して、本発明にかかる好ましい実施形態を詳細に説明するが、図面符号に関係なく、同一または対応する構成要素は同一の参照番号を付し、これに関する重複する説明は省略する。本発明を説明するにあたり、かかる公知技術に関する具体的な説明が本発明の要旨をあいまいにし得ると判断された場合、その詳細な説明を省略する。
【００６４】
本発明の一実施形態にかかる試料保管器具は、図１４および図１５に示されているように、少なくとも１つの充填室ｓが備えられ、前記充填室ｓに充填された試料に含まれている微細粒子の個体数を計数するための器具である。
【００６５】
前記試料保管器具２００は、第１透光性基板２１０と、第２透光性基板２２０と、側壁２１０ａと、ライン壁２１０ｂとを含んで構成される。
【００６６】
前記第１透光性基板２１０は、前記充填室ｓの一側内面を形成する。
【００６７】
前記第２透光性基板２２０は、前記充填室ｓの他側内面を形成する。
【００６８】
一方、第１透光性基板２１０と第２透光性基板２２０はそれぞれ、ポリカーボネート（ｐｏｌｙｃａｒｂｏｎａｔｅ）、ポリメチルメタクリレート（ｐｏｌｙ  ｍｅｔｈｙｌ  ｍｅｔｈａｃｒｙｌａｔｅ）、ポリエチレン（ｐｏｌｙｅｔｈｙｌｅｎｅ）、ポリエチレンテレフタレート（ｐｏｌｙｅｔｈｙｌｅｎｅ  ｔｅｒｅｐｈｔｈａｌａｔｅ）、ポリスチロール（ｐｏｌｙｓｔｙｒｏｌ）、ガラスのうちのいずれか１つの材質で構成できる。（２２０）の間に所定の高さに積層されて充填室ｓの側壁として構成されるが、液状ＵＶ硬化性樹脂（ＲＳ）が硬化して形成される。
【００６９】
上述のように、前記第１透光性基板２１０、第２透光性基板２２０、側壁２１０ａによって前記充填室ｓが形成される。
【００７０】
前記ライン壁２１０ｂは、前記側壁２１０ａの外側領域に等間隔で複数個形成され、前記ライン壁２１０ｂの間に、前記第１透光性基板２１０、第２透光性基板２２０を接着するための接着剤が塗布されてよい。
【００７１】
前記充填室ｓの側壁２１０ａの形成高さは、約１０μｍ〜１００μｍである。
【００７２】
一方、前記第１透光性基板２１０、前記第２透光性基板２２０のうちのいずれか１つの基板には、試料を充填室ｓに充填させるための投入部２２０ａと、前記試料または空気を排出するための排出部２２０ｂとが形成され、例えば、図１４および図１５に示されているように、前記投入部２２０ａおよび排出部２２０ｂは、前記第２透光性基板２２０に形成できる。
【００７３】
以下、上述のような試料保管器具２００を製造するための方法について説明する。
【００７４】
＜第１実施例＞
【００７５】
本発明の第１実施例による試料保管器具２００の製造方法は、図４に示されているように、（ａ）少なくとも前記充填室の側壁を形成するための陰刻パターン部が上面に備えられたパターン形成用モールドを用意するステップと、（ｂ）前記陰刻パターン部に収容させるための液状ＵＶ硬化性樹脂を、前記パターン形成用モールドの上面に一定量吐出するステップと、（ｃ）前記パターン形成用モールドの上面に、第１透光性基板を載置して互いに圧着するステップと、（ｄ）前記液状ＵＶ硬化性樹脂が前記陰刻パターン部に収容された状態で、紫外線を照射して前記液状ＵＶ硬化性樹脂を硬化させるステップと、（ｅ）前記パターン形成用モールドから、前記液状ＵＶ硬化性樹脂が硬化して形成された充填室の側壁が備えられた第１透光性基板を分離させるステップと、（ｆ）前記第１透光性基板の側壁が形成された側に、第２透光性基板を接着して前記充填室を形成するステップと、を含んで構成される。
【００７６】
まず、（ａ）ステップについて説明する。
【００７７】
前記（ａ）ステップは、少なくとも前記充填室ｓの側壁２１０ａを形成するための陰刻パターン部１０４が上面に備えられたパターン形成用モールド１００を用意するステップである。
【００７８】
前記陰刻パターン部１０４は、前記充填室ｓの側壁２１０ａを含めて前記充填室ｓの外側に多様な形状を形成するために、多様なパターンに形成可能である。
【００７９】
例えば、図８および図９に示されているように、前記陰刻パターン部１０４は、充填室ｓの側壁（図１４の２１０ａ）を形成するために、陰刻で形成された側壁パターン１０４ａと、充填室ｓの側壁２１０ａの外側に複数のライン壁（図１４の２１０ｂ）を形成するために、前記側壁パターン１０４ａの外側領域に所定の間隔で互いに離隔して陰刻で形成された複数のラインパターン１０４ｂとを含んで形成できる。
【００８０】
また、前記陰刻パターン部１０４は、前記ラインパターン１０４ｂなしに側壁パターン１０４ａのみで形成されたり、前記充填室ｓを形成するための領域を除いた領域全体を陰刻で形成し、充填室ｓの側壁２１０ａの幅が厚く形成できるように形成されたりしてもよく、多様に変形できることは当然である。
【００８１】
一方、前記陰刻パターン部１０４は、図１６および図１７に示されているように、前記側壁パターン１０４ａの内側領域に、グリッド目盛２００ｇを形成するためのグリッドパターン１０４ｃを含んで構成されてもよい。
【００８２】
前記グリッドパターン１０４ｃは、前記グリッド目盛２００ｇの目盛ライン部分に対応する部分が陽刻または陰刻で形成されてよい。
【００８３】
一方、前記陰刻パターン部１０４は、図７Ａおよび図７Ｂに示されているように、前記充填室ｓの側壁２１０ａを形成するためのパターンを有する電鋳金型１０４からなってよく、前記側壁パターン１０４ａが前記パターン形成用モールドベース１０２の上面に固定され、前記パターン形成用モールド１００が構成できる。
【００８４】
すなわち、図７Ａに示されているように、前記パターン形成用モールドベース１０２の上面に電鋳金型１０４が固定可能な固定溝１０２ｈを形成し、前記固定溝１０２ｈに前記電鋳金型１０４が挿入されて固定されるようにして、図７Ｂに示されているようなパターン形成用モールド１００を構成することができるのである。
【００８５】
ここで、電鋳金型とは、電鋳（Ｅｌｅｃｔｒｏ−Ｆｏｒｍｉｎｇ、電気鋳造）方式で製作された金型であって、電鋳は、機械加工で製作されたマスター（ｍａｓｔｅｒ）の表面に電気めっきを用いて所定の厚さに金属層を形成した後、形成された金属層を分離し、分離された金属層を仕上げ処理して金型に製作する方法である。
【００８６】
例えば、めっき方式のように、硫酸ニッケル水溶液に、金型に製作しようとする金属材料とマスターを入れて、前記金属材料に＋極を接続し、前記マスターに−極を接続して、前記＋極に接続された金属材料の金属粒子が前記マスターの表面に移動して付着するようにして、所定厚さの電鋳金型を製作することができる。
【００８７】
上述のような電鋳金型１０４は、微細な形状に金型を製作することができて、マイクロ単位の高さおよび厚さを有する充填室ｓの側壁２１０ａを形成するのが容易である利点がある。
【００８８】
一方、前記電鋳金型１０４は、前記充填室ｓの側壁２１０ａを形成するための側壁パターン１０４ａの内側領域に、グリッド目盛２００ｇを形成するためのグリッドパターン１０４ｃを含んで形成できる。
【００８９】
すなわち、前記電鋳金型１０４は、前記側壁パターン１０４ａ、前記ラインパターン１０４ｂ、前記グリッドパターン１０４ｃをすべて含んで形成できるのである。
【００９０】
一方、前記陰刻パターン部１０４は、図９に示されているように、前記パターン形成用モールドベース１０２の上面に、前記充填室ｓの側壁２１０ａおよびライン壁１０４ｂを形成するためのパターンがエッチング処理されて構成できる。
【００９１】
前記パターンは、公知の一般的なエッチング処理で形成することができ、例えば、前記パターン形成用モールドベース１０２の上面に酸化被膜を形成した後、前記酸化被膜に感光性樹脂を積層した状態で、ネガティブ（ｎｅｇａｔｉｖｅ）図形のマスクを介して紫外線を照射して前記感光性樹脂を感光処理し、前記感光処理された感光性樹脂を除去処理し、前記感光性樹脂が除去された部分の酸化被膜を除去処理し、残っている感光性樹脂を除去処理し、酸化被膜のない部分に不純物の蒸気を含浸して、前記パターン形成用モールドベース１０２の上面に側壁２１０ａとライン壁２１０ｂを形成するためのパターンを形成することができる。
【００９２】
一方、エッチング処理により製作されたパターン形成用モールド１００は、前記充填室ｓの側壁２１０ａを形成するための側壁パターン１０４ａの内側領域に、グリッド目盛２００ｇを形成するためのグリッド目盛形成用電鋳金型１０５が備えられてよい。
【００９３】
前記充填室ｓの側壁２１０ａの内側領域に形成されるグリッド目盛２００ｇは、充填室ｓの側壁２１０ａやライン壁２１０ｂよりも微細な形状に形成されるが、エッチング処理ではグリッド目盛２００ｇを形成するためのパターンを形成しにくいことがある。
【００９４】
したがって、微細なパターンの製作が可能な電鋳方式でグリッド目盛２００ｇを形成するためのグリッド目盛形成用電鋳金型１０５を製作した後、エッチング処理したパターン形成用モールド１００の側壁パターン１０４ａの内側領域に溝１０５ｇを形成し、前記グリッド目盛形成用電鋳金型１０５を挿入して前記パターン形成用モールド１００を構成するのである。
【００９５】
上述のように、充填室ｓの側壁２１０ａを形成するためのパターンを有する電鋳金型が前記パターン形成用モールドベース１０２の上面に固定されるように構成したり、パターン形成用モールドベース１０２の上面に前記充填室ｓの側壁２１０ａを形成するためのパターンがエッチング処理されたりするようにして、パターン形成用モールドベース１０２の上面に陰刻パターン部１０４を形成することができ、これによってパターン形成用モールド１００を用意することができる。
【００９６】
次に、（ｂ）ステップについて説明する。
【００９７】
前記（ｂ）ステップは、前記陰刻パターン部１０４に収容させるための液状ＵＶ硬化性樹脂（ＲＳ）を、前記パターン形成用モールド１００の上面に一定量吐出するステップである。
【００９８】
例えば、図１０Ａに示されているように、前記パターン形成用モールド１００の一側上面に、前記陰刻パターン部１０４に全体的に収容可能な一定量の液状ＵＶ硬化性樹脂（ＲＳ）を吐出することができる。
【００９９】
また、例えば、図１０Ｂに示されているように、前記パターン形成用モールド１００の上面、具体的には、前記陰刻パターン部１０４に全体的に液状ＵＶ硬化性樹脂（ＲＳ）が吐出されるようにして、前記陰刻パターン部１０４に液状ＵＶ硬化性樹脂（ＲＳ）が全体的に塗布されるようにすることができる。
【０１００】
前記液状ＵＶ硬化性樹脂（ＲＳ）は、充填室ｓの側壁２１０ａおよびライン壁２１０ｂを形成するための樹脂であって、例えば、ウレタンアクリレート（Ｕｒｅｔｈａｎｅ  Ａｃｒｙｌａｔｅ）系の通常の液状ＵＶ硬化型樹脂であって、ＮＡＮＯ  ＰＨＯＴＯＮＩＣＳ  ＣＨＥＭＩＣＡＬ  ＣＯ．，ＬＴＤの「ＮＤ−９３８」などを使用することができる。
【０１０１】
一方、液状ＵＶ硬化性樹脂（ＲＳ）の硬化性を高めるために、硬化剤を混合して使用してもよいことは当然である。
【０１０２】
次に、（ｃ）ステップについて説明する。
【０１０３】
前記（ｃ）ステップは、前記パターン形成用モールド１００の上面に、第１透光性基板２１０を載置して互いに圧着するステップである。
【０１０４】
例えば、図１１および図１２に示されているように、前記パターン形成用モールド１００の一側上面に一定量の液状ＵＶ硬化性樹脂（ＲＳ）が吐出された状態で、前記パターン形成用モールド１００の上面に第１透光性基板２１０を整列させて載置させることができる。
【０１０５】
一方、前記パターン形成用モールド１００と前記第１透光性基板２１０との相互圧着は、前記第１透光性基板２１０の自重によって行われたり、別の加圧手段によって行われたりしてもよい。
【０１０６】
例えば、図１３に示されているように、前記パターン形成用モールド１００と前記第１透光性基板２１０は、前記液状ＵＶ硬化性樹脂（ＲＳ）が吐出された側から一対の加圧ローラＲの間に通過することにより互いに圧着できる。
【０１０７】
そのほかにも、前記パターン形成用モールド１００と前記第１透光性基板２１０とを互いに圧着さえできれば、公知の圧着手段を任意に適用してもよいことは当然である。
【０１０８】
一方、上述のような圧着過程を通じて、前記パターン形成用モールド１００の陰刻パターン部１０４の陽刻部分と第１透光性基板２１０との間には、前記液状ＵＶ硬化性樹脂（ＲＳ）が約３μｍの厚さに被膜の形態で存在し、前記パターン形成用モールド１００の陰刻パターン部１０４の陰刻部分と第１透光性基板２１０との間には、陰刻形状に対応して前記液状ＵＶ硬化性樹脂（ＲＳ）が充填される。
【０１０９】
この時、前記陰刻部分の形成高さは、充填室ｓの形成高さである１０μｍ〜１００μｍに形成されることが好ましい。
【０１１０】
次に、（ｄ）ステップについて説明する。
【０１１１】
前記（ｄ）ステップは、前記液状ＵＶ硬化性樹脂（ＲＳ）が前記陰刻パターン部１０４に収容された状態で、紫外線を照射して前記液状ＵＶ硬化性樹脂（ＲＳ）を硬化させるステップである。
【０１１２】
すなわち、前記パターン形成用モールド１００と前記第１透光性基板２１０が前記一対の加圧ローラＲを通過した後、前記（ｄ）ステップが行われてよい。
【０１１３】
例えば、図１３に示されているように、前記パターン形成用モールド１００と前記第１透光性基板２１０が、液状ＵＶ硬化性樹脂（ＲＳ）が吐出された側から一対の加圧ローラＲを通過することにより、前記液状ＵＶ硬化性樹脂（ＲＳ）が前記パターン形成用モールド１００と前記第１透光性基板２１０との間に全体的に広がるように分布しながら前記陰刻パターン部１０４に収容可能である。
【０１１４】
この時、前記パターン形成用モールド１００と前記第１透光性基板２１０が、前記一対の加圧ローラＲを通過して排出される排出側に紫外線（ＵＶ）を照射することにより、前記パターン形成用モールド１００と前記第１透光性基板２１０との間に広がって分布した液状ＵＶ硬化性樹脂（ＲＳ）を硬化させることができる。
【０１１５】
次に、（ｅ）ステップについて説明する。
【０１１６】
前記（ｅ）ステップは、前記パターン形成用モールド１００から、前記液状ＵＶ硬化性樹脂（ＲＳ）が硬化して形成された側壁２１０ａが備えられた第１透光性基板２１０を分離させるステップである。
【０１１７】
前記パターン形成用モールド１００は、前記硬化した樹脂が容易に分離可能に離型処理されてよく、例えば、熱処理、めっき、蒸着コーティングなどにより離型処理されてよい。
【０１１８】
したがって、前記液状ＵＶ硬化性樹脂（ＲＳ）が硬化して形成された側壁２１０ａが備えられた第１透光性基板２１０が、前記パターン形成用モールド１００から容易に分離可能である。
【０１１９】
次に、（ｆ）ステップについて説明する。
【０１２０】
前記（ｆ）ステップは、前記第１透光性基板２１０の側壁２１０ａが形成された側に、第２透光性基板２２０を接着して前記充填室ｓを形成するステップである。
【０１２１】
前記第２透光性基板２２０は、図１４に示されているように、前記第１透光性基板２１０と略同一の面積で形成され、充填室ｓに試料を投入するための投入部２２０ａと、前記試料または空気を排出するための排出部２２０ｂとが形成される。
【０１２２】
前記第１透光性基板２１０と前記第２透光性基板２２０は、前記充填室ｓを除いた一対の基板の間にＵＶ硬化性接着剤を塗布して互いに積層した状態で、紫外線を照射することにより接着できる。
【０１２３】
例えば、前記ＵＶ硬化性接着剤は、一部のライン壁２１０ｂの間の空間に充填されるように塗布されてよく、前記第１透光性基板２１０と前記第２透光性基板２２０との接着時、一部のライン壁２１０ｂの間の空間に充填されたＵＶ硬化性接着剤が隣接するライン壁２１０ｂの間の空間に流入しながら全体的に分布するため、前記ＵＶ硬化性接着剤が一対の基板の間を通して外部に流出するのを防止することができる。
【０１２４】
前記ＵＶ硬化性接着剤（Ｇ）は、例えば、ウレタンアクリレート（Ｕｒｅｔｈａｎｅ  ａｃｒｙｌａｔｅ）などが含まれている液状の物質であって、通念的に「液状ＵＶ」とも呼ばれ、熱を加えたり紫外線を照射したりすれば硬化する特徴を有する物質である。
【０１２５】
一方、前記ＵＶ硬化性接着剤（Ｇ）の硬化性を高めるために、硬化剤を混合して使用してもよいことは当然である。
【０１２６】
上述のように、前記第１透光性基板２１０と前記第２透光性基板２２０とを互いに接着することにより、図１５に示されているように、充填室ｓが備えられた試料保管器具２００を完成することができる。
【０１２７】
＜第２実施例＞
【０１２８】
本発明の第２実施例による試料保管器具の製造方法は、図５に示されているように、（ａ）少なくとも前記充填室の側壁を形成するための陰刻パターン部（当該陰刻パターン部は、単一の充填室の側壁を形成する個別パターン部が複数配列された形態からなって、複数の充填室の側壁を形成できるように形成される）が上面に備えられたパターン形成用モールドを用意するステップと、（ｂ）前記陰刻パターン部に収容させるための液状ＵＶ硬化性樹脂を、前記パターン形成用モールドの上面に一定量吐出するステップと、（ｃ）前記パターン形成用モールドの上面に、第１透光性母材基板を載置して互いに圧着するステップと、（ｄ）前記液状ＵＶ硬化性樹脂が前記陰刻パターン部に収容された状態で、紫外線を照射して前記液状ＵＶ硬化性樹脂を硬化させるステップと、（ｅ）前記パターン形成用モールドから、前記液状ＵＶ硬化性樹脂が硬化して形成された複数の充填室の側壁が備えられた第１透光性母材基板を分離させるステップと、（ｆ）前記複数の充填室の側壁が単一の充填室の側壁に個別分割されるように、前記第１透光性母材基板を切断して第１透光性基板を用意するステップと、（ｇ）前記第１透光性基板の側壁が形成された側に、第２透光性基板を接着して前記充填室を形成するステップと、を含んで構成される。
【０１２９】
まず、（ａ）ステップについて説明する。
【０１３０】
前記（ａ）ステップは、少なくとも前記充填室ｓの側壁２１０ａを形成するための陰刻パターン部１０４が上面に備えられたパターン形成用モールド１００を用意するステップであり、この時、前記陰刻パターン部１０４は、単一の充填室ｓの側壁２１０ａを形成する個別パターン部１０４’が複数配列された形態からなって、複数の充填室ｓの側壁２１０ａを形成できるように形成される。
【０１３１】
例えば、図１８Ａ、図１８Ｂおよび図１９に示されているように、前記陰刻パターン部１０４は、単一の充填室ｓの側壁２１０ａを形成するための個別パターン部１０４’が「２×１０」の形態で配列されるように形成されてよく、各個別パターン部１０４’は、１つの試料保管器具の充填室ｓの側壁２１０ａを形成する。
【０１３２】
すなわち、第２実施例の陰刻パターン部１０４は、複数の試料保管器具の充填室ｓの側壁２１０ａを同時に形成するために、個別パターン部１０４’が複数配列されて構成されるものであり、このような陰刻パターン部１０４により１回の製作工程で複数の試料保管器具を生産することができるため、大量生産が可能になる。
【０１３３】
一方、前記陰刻パターン部１０４を形成する個別パターン部１０４’は、前記充填室ｓの側壁２１０ａを含めて前記充填室ｓの外側に多様な形状を形成するために、多様なパターンに形成できる。
【０１３４】
例えば、それぞれの個別パターン部１０４’は、図１８Ａ、図１８Ｂおよび図１９に示されているように、側壁パターン１０４ａ、ラインパターン１０４ｂ、およびグリッドパターン（図示せず）を含んで形成されてよく、具体的なパターンの形状は、第１実施例の陰刻パターン部１０４の側壁パターン１０４ａ、ラインパターン１０４ｂ、およびグリッドパターン１０４ｃの形状と同一または類似しているので、重複した説明は省略する。
【０１３５】
また、第２実施例の陰刻パターン部１０４も、第１実施例の陰刻パターン部１０４と同様に、例えば、図１８Ａ、図１８Ｂに示されているように、電鋳金型１０４をパターン形成用モールドベース１０２の上面に備えてパターン形成用モールド１００を構成したり、図１９に示されているように、パターン形成用モールドベース１０２の上面にエッチング処理によりパターンを形成してパターン形成用モールド１００を構成したりすることができ、重複した説明は省略する。
【０１３６】
次に、（ｂ）ステップについて説明する。
【０１３７】
前記（ｂ）ステップは、前記陰刻パターン部１０４に収容させるための液状ＵＶ硬化性樹脂（ＲＳ）を、前記パターン形成用モールド１００の上面に一定量吐出するステップである。
【０１３８】
例えば、図２０Ａに示されているように、前記パターン形成用モールド１００の一側上面に、前記陰刻パターン部１０４に全体的に収容可能な一定量の液状ＵＶ硬化性樹脂（ＲＳ）を吐出したり、図２０Ｂに示されているように、前記パターン形成用モールド１００の上面、具体的には、前記陰刻パターン部１０４に全体的に液状ＵＶ硬化性樹脂（ＲＳ）が吐出されるようにしたりして、前記陰刻パターン部１０４に液状ＵＶ硬化性樹脂（ＲＳ）が全体的に塗布されるようにすることができる。
【０１３９】
前記液状ＵＶ硬化性樹脂（ＲＳ）は、充填室ｓの側壁２１０ａおよびライン壁２１０ｂを形成するための樹脂であって、例えば、ウレタンアクリレート（Ｕｒｅｔｈａｎｅ  Ａｃｒｙｌａｔｅ）系の通常の液状ＵＶ硬化型樹脂であって、ＮＡＮＯ  ＰＨＯＴＯＮＩＣＳ  ＣＨＥＭＩＣＡＬ  ＣＯ．，ＬＴＤの「ＮＤ−９３８」などを使用することができる。
【０１４０】
次に、（ｃ）ステップについて説明する。
【０１４１】
前記（ｃ）ステップは、前記パターン形成用モールド１００の上面に、第１透光性母材基板２１０’を載置して互いに圧着するステップである。
【０１４２】
例えば、図２１および図２２に示されているように、前記パターン形成用モールド１００の一側上面に一定量の液状ＵＶ硬化性樹脂（ＲＳ）が吐出された状態で、前記パターン形成用モールド１００の上面に第１透光性母材基板２１０’を整列させて載置させることができる。
【０１４３】
一方、前記パターン形成用モールド１００と前記第１透光性母材基板２１０’との相互圧着は、例えば、図２３に示されているように、前記パターン形成用モールド１００と前記第１透光性母材基板２１０’を、前記液状ＵＶ硬化性樹脂（ＲＳ）が吐出された側から一対の加圧ローラＲの間に通過させることにより行われてよい。
【０１４４】
そのほかにも、前記パターン形成用モールド１００と前記第１透光性母材基板２１０’とを互いに圧着さえできれば、公知の圧着手段を任意に適用してもよいことは当然である。
【０１４５】
一方、上述のような圧着過程を通じて、前記パターン形成用モールド１００の陰刻パターン部１０４の陽刻部分と第１透光性母材基板２１０’との間には、前記液状ＵＶ硬化性樹脂（ＲＳ）が約３μｍの厚さに被膜の形態で存在し、前記パターン形成用モールド１００の陰刻パターン部１０４の陰刻部分と第１透光性母材基板２１０’との間には、陰刻形状に対応して前記液状ＵＶ硬化性樹脂（ＲＳ）が充填される。
【０１４６】
この時、前記陰刻部分の形成高さは、充填室ｓの形成高さである１０μｍ〜１００μｍに形成されることが好ましい。
【０１４７】
次に、（ｄ）ステップについて説明する。
【０１４８】
前記（ｄ）ステップは、前記液状ＵＶ硬化性樹脂（ＲＳ）が前記陰刻パターン部１０４に収容された状態で、紫外線を照射して前記液状ＵＶ硬化性樹脂（ＲＳ）を硬化させるステップである。
【０１４９】
すなわち、前記パターン形成用モールド１００と前記第１透光性母材基板２１０’が前記一対の加圧ローラＲを通過した後、前記（ｄ）ステップが行われてよい。
【０１５０】
例えば、図２３に示されているように、前記パターン形成用モールド１００と前記第１透光性母材基板２１０’が、液状ＵＶ硬化性樹脂（ＲＳ）が吐出された側から一対の加圧ローラＲを通過することにより、前記液状ＵＶ硬化性樹脂（ＲＳ）が前記パターン形成用モールド１００と前記第１透光性母材基板２１０’との間に全体的に広がるように分布しながら前記陰刻パターン部１０４に収容可能である。
【０１５１】
この時、前記パターン形成用モールド１００と前記第１透光性母材基板２１０’が、前記一対の加圧ローラＲを通過して排出される排出側に紫外線（ＵＶ）を照射することにより、前記パターン形成用モールド１００と前記第１透光性母材基板２１０’との間に広がって分布した液状ＵＶ硬化性樹脂（ＲＳ）を硬化させることができる。
【０１５２】
次に、（ｅ）ステップについて説明する。
【０１５３】
前記（ｅ）ステップは、前記パターン形成用モールド１００から、前記液状ＵＶ硬化性樹脂（ＲＳ）が硬化して形成された複数の充填室ｓの側壁２１０ａが備えられた第１透光性母材基板２１０’を分離させるステップである。
【０１５４】
前記パターン形成用モールド１００は、前記硬化した樹脂が容易に分離可能に離型処理されてよく、例えば、熱処理、めっき、蒸着コーティングなどにより離型処理されてよい。
【０１５５】
したがって、前記液状ＵＶ硬化性樹脂（ＲＳ）が硬化して形成された側壁２１０ａが備えられた第１透光性母材基板２１０’が、前記パターン形成用モールド１００から容易に分離可能である。
【０１５６】
次に、（ｆ）ステップについて説明する。
【０１５７】
前記（ｆ）ステップは、前記複数の充填室ｓの側壁２１０ａが単一の充填室ｓの側壁２１０ａに個別分割されるように、前記第１透光性母材基板２１０’を切断して第１透光性基板２１０を用意するステップである。
【０１５８】
例えば、上述のような（ａ）〜（ｅ）ステップにより製作された第１透光性母材基板２１０’の一側面には、図２４に示されているように、個別充填室ｓを形成する側壁２１０ａおよびライン壁２１０ｂが「２×１０」の形態で配列されて形成されている。
【０１５９】
このような第１透光性母材基板２１０’を、仮想の切断線ｃに沿ってそれぞれ切断処理して第１透光性基板２１０を用意するのである。
【０１６０】
一方、前記第１透光性母材基板２１０’の切断は、トムソン加工切断、ＮＣ切断などの機械的な切断方式で行われてよい。
【０１６１】
したがって、第１透光性母材基板２１０’が切断されて形成された第１透光性基板２１０の一側面には、図１４に示された第１実施例の第１透光性基板２１０のように、１つの充填室ｓを形成する１つの側壁２１０ａおよび複数のライン壁２１０ｂが備えられてよい。
【０１６２】
次に、（ｇ）ステップについて説明する。
【０１６３】
前記（ｇ）ステップは、前記第１透光性基板２１０の側壁２１０ａが形成された側に、第２透光性基板を接着して前記充填室ｓを形成するステップである。
【０１６４】
前記第２透光性基板（図１４の「２２０」参照）は、前記第１透光性基板２１０と略同一の面積で形成され、充填室ｓに試料を投入するための投入部２２０ａと、前記試料または空気を排出するための排出部２２０ｂとが形成される。
【０１６５】
前記第１透光性基板２１０と前記第２透光性基板は、前記充填室ｓを除いた一対の基板の間にＵＶ硬化性接着剤を塗布して互いに積層した状態で、紫外線を照射することにより接着されてよく、具体的な接着方法は、第１実施例と同一または類似しているので、重複した説明は省略する。
【０１６６】
上述のように、前記第１透光性基板２１０と前記第２透光性基板とを互いに接着することにより、図１５に示された第１実施例の試料保管器具のような単一の試料保管器具を完成することができる。
【０１６７】
＜第３実施例＞
【０１６８】
本発明の第３実施例による試料保管器具の製造方法は、図６に示されているように、（ａ）少なくとも前記充填室の側壁を形成するための陰刻パターン部（当該陰刻パターン部は、単一の充填室の側壁を形成する個別パターン部が複数配列された形態からなって、複数の充填室の側壁を形成できるように形成される）が上面に備えられたパターン形成用モールドを用意するステップと、（ｂ）前記陰刻パターン部に収容させるための液状ＵＶ硬化性樹脂を、前記パターン形成用モールドの上面に一定量吐出するステップと、（ｃ）前記パターン形成用モールドの上面に、第１透光性母材基板を載置して互いに圧着するステップと、（ｄ）前記液状ＵＶ硬化性樹脂が前記陰刻パターン部に収容された状態で、紫外線を照射して前記液状ＵＶ硬化性樹脂を硬化させるステップと、（ｅ）前記パターン形成用モールドから、前記液状ＵＶ硬化性樹脂が硬化して形成された複数の充填室の側壁が備えられた第１透光性母材基板を分離させるステップと、（ｆ）前記第１透光性母材基板の複数の充填室の側壁が形成された側に、第２透光性母材基板を接着して複数の充填室を形成するステップと、（ｇ）前記複数の充填室がそれぞれ個別分割されるように、互いに接着された第１および第２透光性母材基板を切断加工するステップと、を含んで構成される。
【０１６９】
一方、本発明の第３実施例による試料保管器具の製造方法の（ａ）〜（ｅ）ステップは、第２実施例の製造方法の（ａ）〜（ｅ）ステップと同一または類似しているので、重複した説明は省略し、（ｆ）、（ｇ）ステップについてのみ説明する。
【０１７０】
まず、（ｆ）ステップについて説明する。
【０１７１】
前記（ｆ）ステップは、（ａ）〜（ｅ）ステップによって製造された第１透光性母材基板（図２５の２１０’）の複数の充填室ｓの側壁２１０ａが形成された側に、第２透光性母材基板（図２６の２２０’）を接着して複数の充填室ｓを形成するステップである。
【０１７２】
前記第２透光性母材基板２２０’は、図２６に示されているように、前記第１透光性母材基板２１０’と略同一の面積で形成され、各充填室ｓに試料を投入するための投入部２２０ａと、前記試料または空気を排出するための排出部２２０ｂとが複数個形成される。
【０１７３】
前記第１透光性母材基板２１０’と前記第２透光性母材基板２２０’は、前記各充填室ｓを除いた一対の母材基板の間にＵＶ硬化性接着剤
【０１７４】
次に、（ｇ）ステップについて説明する。
【０１７５】
前記（ｇ）ステップは、前記複数の充填室ｓがそれぞれ個別分割されるように、互いに接着された第１および第２透光性母材基板２１０’、２２０’を切断加工するステップである。
【０１７６】
例えば、上述のような（ａ）〜（ｆ）ステップにより製作され、互いに接着された第１透光性母材基板２１０’と前記第２透光性母材基板２２０’との間には、図２７に示されているように、個別充填室ｓを形成する側壁２１０ａおよびライン壁２１０ｂが「２×１０」の形態で配列されて形成されている。
【０１７７】
したがって、互いに接着された第１透光性母材基板２１０’と前記第２透光性母材基板２２０’を仮想の切断線ｃに沿ってそれぞれ切断して、図１５に示された第１実施例の試料保管器具のような単一の試料保管器具を完成することができるのである。
【０１７８】
上述の本発明の試料保管器具の製造方法に使用されるパターン形成用モールドは、上述のように板状のモールドを用いる。
【０１７９】
図２８は、本発明にかかるロールタイプのパターン形成用モールドの一例を示す斜視図である。
【０１８０】
図２８を参照すれば、本発明の試料保管器具の製造方法に使用されるパターン形成用モールド４００をロール（Ｒｏｌｌ）タイプとして用いることができる。
【０１８１】
ロールタイプのパターン形成用モールド４００は、両端部にモータのような回転機（図示せず）の回転軸に連結される軸４０１が形成され、円柱形状に形成される。
【０１８２】
そして、前記パターン形成用モールド４００の外周には、均一な間隔を有する位置に陰刻パターン部４１０が形成され、それぞれの陰刻パターン部４１０の内側空間には、基板での充填室を形成するための突出成形物４１１が形成される。
【０１８３】
したがって、本発明では、ロールタイプのパターン形成用モールド４００を用いることにより、連続的に基板を生産することができるため、生産速度および生産量を向上させることができる利点がある。
【０１８４】
他方、本発明で提供する試料保管器具は、上述の製造方法により製造される。
【０１８５】
本発明は、添付した図面を参照して、好ましい実施例を中心に記述されたが、当業者であれば、かかる記載から本発明の範疇を逸脱しない範囲で多くの多様かつ自明な変形が可能であることは明らかである。したがって、本発明の範疇は、このような多くの変形例を含むように記述された特許請求の範囲により解釈されなければならない。
【図１】
0006017040.tif 000002
【図２】
0006017040.tif 000003
【図３】
0006017040.tif 000004
【図４】
0006017040.tif 000005
【図５】
0006017040.tif 000006
【図６】
0006017040.tif 000007
【図７Ａ】
0006017040.tif 000008
【図７Ｂ】
0006017040.tif 000009
【図８】
0006017040.tif 000010
【図９】
0006017040.tif 000011
【図１０Ａ】
0006017040.tif 000012
【図１０Ｂ】
0006017040.tif 000013
【図１１】
0006017040.tif 000014
【図１２】
0006017040.tif 000015
【図１３】
0006017040.tif 000016
【図１４】
0006017040.tif 000017
【図１５】
0006017040.tif 000018
【図１６】
0006017040.tif 000019
【図１７】
0006017040.tif 000020
【図１８Ａ】
0006017040.tif 000021
【図１８Ｂ】
0006017040.tif 000022
【図１９】
0006017040.tif 000023
【図２０Ａ】
0006017040.tif 000024
【図２０Ｂ】
0006017040.tif 000025
【図２１】
0006017040.tif 000026
【図２２】
0006017040.tif 000027
【図２３】
0006017040.tif 000028
【図２４】
0006017040.tif 000029
【図２５】
0006017040.tif 000030
【図２６】
0006017040.tif 000031
【図２７】
0006017040.tif 000032
【図２８】
0006017040.tif 000033